(57)【要約】【課題】各種の広告用動画あるいは映像を表示可能な廉価な構成の自立式のサインスタンドを提案すること。【解決手段】カーディーラーショールーム用のサインスタンド１は、自立式のスタンド２と、このスタンド２の前面５ｅに取り付けたスペックボード１０と、スタンド２の前面の傾斜面５ａに形成した窓５ｂから表示画面６ａが露出する状態で当該スタンド２に取り付けた広告画像表示装置６とを有している。スペックボート１０による広告と、広告画像表示装置６による広告画像による広告とを同時に行うことができるので、従来に比べて変化に富む広告形態を実現できる。【選択図】図１
2010224211.tif 000002
【特許請求の範囲】
【請求項１】
自立式のスタンド（２、２２、４２）と、
このスタンド（２、２２、４２）の前面（５ｂ、５ｅ、２５ｃ、４５ａ）に保持されている広告情報が担持された広告表示媒体（８、１０、２９、３０、４７、４８、４９）と、
前記スタンド（２、２２、４２）の前面（５ｂ、２５ｃ、４５ａ）から表示画面（６ａ、２６ａ、４６ａ）が露出する状態で当該スタンドに取り付けられている広告画像表示装置（６、２６、４６）とを有していることを特徴とするサインスタンド（１、２１、４１）。
【請求項２】
請求項１において、
前記広告画像表示装置（６、２６、４６）は広告情報出力用のスピーカー（１６）を有していることを特徴とするサインスタンド（１、２１、４１）。
【請求項３】
請求項１または２において、
前記広告表示媒体（８、４７、４８、４９）は前記スタンド（２、２２、４２）の前面（５ｃ、２５ｃ、４５ａ）に貼り付けられていることを特徴とするサインスタンド（１、２１、４１）。
【請求項４】
請求項１または２において、
前記広告表示媒体（１０）は、取付具（９）によって、前記スタンド（２）に着脱可能な状態で取り付けられていることを特徴とするサインスタンド（１）。
【請求項５】
請求項１または２において、
前記スタンド（２２）の前面（２５ｃ）には少なくとも一つのポケット（２８）あるいはホルダー（３０）が取り付けられており、
前記広告表示媒体（２９、３１）は、前記ポケット（２８）あるいはホルダー（３０）に保持されていることを特徴とするサインスタンド（２１）。
【請求項６】
請求項１ないし５のうちのいずれかの項において、
前記広告画像表示装置（４６）が取り付けられている前記スタンド（４２）の部分は、当該広告画像表示装置（４６）に雨水などが侵入しないように防水仕様となっていることを特徴とするサインスタンド（４１）。
【請求項７】
請求項１ないし６のうちのいずれかの項において、
前記広告画像表示装置（６、２６、４６）は前記広告表示媒体（８、１０、２９、３０、４７、４８、４９）の表示内容に対応する広告画像を表示することを特徴とするサインスタンド（１、２１、４１）。
【請求項８】
請求項５において、
前記ポケット（２８）あるいはホルダー（３０）に保持されている前記広告表示媒体（２９、３１）が抜き取られると、前記広告画像表示装置（６、２６、４６）は抜き取られた前記広告表示媒体（２９、３１）の表示内容に対応する広告画像を表示することを特徴とするサインスタンド（２１）。
【請求項９】
請求項７において、
前記広告表示媒体（８、１０、２９、３０、４７、４８、４９）に印刷したバーコードと、
バーコードリーダーとを備えており、
このバーコードリーダーによって読み取られたバーコード情報に対応付けされている広告画像が前記広告画像表示装置（６、２６、４６）によって表示されることを特徴とするサインスタンド（１、２１、４１）。
【請求項１０】
請求項１ないし６のうちのいずれかの項において、
前記広告画像表示装置（６、２６、４６）によって表示される広告画像を切り替える切替スイッチを備えていることを特徴とするサインスタンド（１、２１、４１）。
【請求項１１】
請求項１ないし９のうちのいずれかの項において、
人感センサ（７、２７）を有しており、
この人感センサ（７、２７）の出力に基づき前記広告画像表示装置（６、２６）の広告出力をオンオフ制御することを特徴とするサインスタンド（１、２１）。
【発明の詳細な説明】
【技術分野】
【０００１】
本発明は、屋内あるいは屋外の適切な場所に配置して、商品、店舗などに関する広告画像あるいは映像を流して広告宣伝を行う自立式のサインスタンドに関する。
【背景技術】
【０００２】
旅行代理店の店内などにおいては各種の旅行についてパンフレットが自立式のスタンドのホルダーに収納された状態で展示されている。また、カーディーラーショールームなどにおいては、展示されている自動車の脇に、立て看板が配置され、展示されている自動車の仕様、諸元を含む広告宣伝情報が表示されている。
【０００３】
従来のスタンド式の広告では広告内容が印刷された広告表示媒体が用いられているので、変化に乏しく、広告内容を変更するためには、広告表示媒体を交換する必要があり汎用性に欠け不便である。
【０００４】
そこで、特許文献１に開示されているようなシートロール式の広告表示装置を用いることが考えられる。シートロール式の広告表示装置を用いれば複数の広告を表示することが可能である。
【先行技術文献】
【特許文献】
【０００５】
【特許文献１】実開平０７−８８８１号公報
【発明の開示】
【発明が解決しようとする課題】
【０００６】
しかしながら、特許文献１に記載のシートロール式の広告表示装置は装置が大掛かりであり、重量もあり、コストも高いという問題点がある。また、広告内容を変更するためにはシートロールを交換する必要があり、印刷画像しか表示できないので変化に乏しい。
【０００７】
本発明の課題は、このような点に鑑みて、各種の広告用動画あるいは映像を表示可能な廉価な構成の自立式のサインスタンドを提案することにある。
【課題を解決するための手段】
【０００８】
上記の課題を解決するために、本発明のサインスタンドは、自立式のスタンドと、このスタンドの前面に保持されている広告情報が担持された広告表示媒体と、スタンドの前面から表示画面が露出する状態で当該スタンドに取り付けられている広告画像表示装置とを有していることを特徴としている。
【０００９】
本発明のサインスタンドでは、広告情報が担持されている広告表示媒体による広告と、小型液晶表示装置などの広告画像表示装置による動画広告あるいは映像広告とを同時に行うことができる。
【００１０】
ここで、広告画像表示装置に広告情報出力用のスピーカーを内蔵しておき、表示画面の表示画像による広告宣伝と共に音声、ＢＧＭなどによって広告宣伝を行えば、広告宣伝効果を高めることができる。
【００１１】
次に、広告表示媒体はスタンドの前面に貼り付けておくことができる。この代わりに、広告表示媒体を、取付具によって、スタンドに着脱可能な状態で取り付けてもよい。また、旅行代理店などで使用する場合には、スタンドの前面にポケットあるいはホルダーを取り付けており、ここに、ツアーパンフレットなどの広告表示媒体を入れておけばよい。
【００１２】
次に、本発明のサインスタンドを屋外に設置して、例えば店舗への呼び込みのためなどに利用する場合には、広告用画像表示装置が組み込まれている部分を防水仕様とすることが望ましい。
【００１３】
一方、広告画像表示装置は、広告表示媒体を交換した場合などにおいて、その広告表示媒体の表示内容に対応する広告画像を表示できるようにすることが望ましい。
【００１４】
そのためには、たとえば、広告表示媒体に広告内容を表すバーコードを印刷しておき、これをバーコードリーダーによって読み取り、読み取ったバーコード情報に対応付けされている広告画像を広告画像表示装置によって表示するように構成すればよい。
【００１５】
また、ポケットあるいはホルダーに保持されている広告表示媒体が抜き取られると、広告画像表示装置は、それまでの放映画像を、抜き取られた広告表示媒体の表示内容に対応する広告画像に切り替えるようにしてもよい。
【００１６】
この代わりに、広告画像表示装置によって表示される広告画像を切り替える切替スイッチを配置しておき、担当者が広告表示媒体に印刷されている広告内容に応じて切替スイッチを操作して表示画像を切り替えるようにしてもよい。
【００１７】
また、人が付近にいない場合には広告宣伝用の画像表示が不要であるので、人感センサを取り付け、人感センサの出力に基づき広告画像表示装置による表示をオンオフ制御することが望ましい。
【発明の効果】
【００１８】
本発明のサインスタンドを用いれば、広告情報が担持されている広告表示媒体による広告と、たとえば７インチ画面の液晶表示装置などの広告画像表示装置による広告画像による広告とを同時に行うことができる。したがって、従来に比べて変化に富む形態で広告を行うことができる。また、シートロール式などの従来の広告表示装置に比べて軽量で廉価に構成できるという利点もある。
【図面の簡単な説明】
【００１９】
【図１】本発明の実施の形態１に係るサインスタンドを示す正面図、側面図および背面図である。
【図２】図１の広告画像表示装置の正面図、側面図および、その制御系を示す概略ブロック図である。
【図３】本発明の実施の形態２に係るサインスタンドを示す正面図、側面図および背面図である。
【図４】本発明の実施の形態３に係るサインスタンドを示す正面図、側面図、部分背面図および内部構成図である。
【発明を実施するための形態】
【００２０】
以下に、図面を参照して本発明を適用したサインスタンドの各種の実施の形態を説明する。
【００２１】
（実施の形態１）
図１（ａ）〜（ｃ）は、カーディーラーショールーム用に設計されたサインスタンドを示す正面図、側面図および背面図である。サインスタンド１は自立式のスタンド２を備えており、このスタンド２は、四隅にキャスター３が取り付けられている矩形板状の水平な支持台４と、この支持台４の上面に垂直に取り付けられているスタンド本体５とを備えた自立式のものである。
【００２２】
スタンド本体５は、全体として、上下に長い扁平な四角柱状のものであり、その上端部分には前面側の部分が斜めに切り取られた状態の傾斜面５ａが形成されている。スタンド本体５は、たとえば、スチールフレームによって本体枠が組み立てられ、その外側を覆う状態に、化粧板、たとえばステンレススチール板を張り付けた構成となっている。
【００２３】
スタンド本体５における傾斜面５ａの背後の部位には広告画像表示装置６が組み込まれており、その表示画面６ａが、傾斜面５ａに形成した横長の長方形の窓５ｂから露出している。表示画面６ａの上縁部分の中央にはセンサ窓６ｂが開いており、ここには人感センサ７が内蔵されている。また、窓５ｂの両側にはスピーカースリット５ｃが形成されている。広告画像表示装置６が内蔵されているスタンド本体５の背面の部位にはメンテナンスハッチ５ｄが取り付けられており、ここを開けて、広告画像表示装置６の保守点検を行うことができるようになっている。
【００２４】
スタンド本体５の前面における傾斜面５ａの上側部分、すなわち、広告画像表示装置６の表示画面６ａの上側部分には、広告情報が印刷されたカッティングシート８（広告表示媒体）が貼り付けられている。カッティングシート８には、例えば、展示されている新車名などが印刷されている。また、スタンド本体５の前面における傾斜面５ａの下側の垂直前面部分５ｅには、取付金具９によって、スペックボード１０（広告表示媒体）が取り付けられている。スペックボード１０には、新車の仕様、諸元、価格などが印刷されている。
【００２５】
図２（ａ）および（ｂ）は広告画像表示装置６を示す正面図および側面図であり、図２（ｃ）はその制御系を示す概略ブロック図である。広告画像表示装置６は、マイクロコンピュータを中心に構成した制御部１１を備えている。制御部１１は、メモリ１２に記憶保持されている広告情報（画像情報、音声情報）を読み出し、これに基づき、液晶ドライバー１３を介して液晶表示器１４を駆動して広告画像を表示させ、スピーカードライバー１５を介して左右のスピーカー１６を駆動して広告用の音声あるいはＢＧＭなどを出力させる。
【００２６】
制御部１１は、人感センサ７の出力に基づき、液晶表示器１４およびスピーカー１６による広告出力のオンオフ制御を行う。すなわち、人感センサ７の感知領域内に人が入ると、広告出力をオフからオンに切り替え、メーカー制作のプロモーションビデオやＣＭなどを放映する。また、ディーラーからのイベント情報などの表示を行う。人感センサ７の感知領域から人が去ると、所定の時間経過後に広告出力をオンからオフ状態に切り替える。
【００２７】
ここで、液晶表示器１４は例えば７インチ画面などの小型の液晶表示器である。また、メモリ１２は例えばＳＤメモリーカードなどの着脱式のメモリとすることができる。さらに、操作入力部１７から制御部１１に広告画像切替信号を入力して、表示される広告画像の切り替えを行うようにすることもできる。
【００２８】
実施の形態１のサインスタンド１は新車などの車の広告宣伝用のものであるが、車以外の各種の商品を広告宣伝するために用いることができる。たとえば、各種の料理に用いる商品の広告宣伝を行うことができる。この場合には、商品紹介のプロモーションビデオを広告画像表示装置６により連続放映する。スタンド本体５に、ポケットを取り付けておき、ここに、放映中の商品を使って作る料理のレシピが掲載されたレシピカードを挿入しておく。レシピカードがポケットから引き抜かれると、広告画像表示装置６の画面は、レシピカードに掲載されているレシピの詳細についての案内画面に切り替わる。このような画像の切り替えは、たとえば、ポケットからレシピカードが抜き取られたことを検知するためのセンサを配置しておけばよい。勿論、ポケットを複数配置しておき、各ポケットに異なる種類のレシピカードを挿入しておき、引き抜かれたレシピカードに対応する画像を表示するようにすることもできる。この場合には、各ポケットにセンサを配置し、各ポケットに対して予め画像を割り当てておけばよい。また、引き抜かれたレシピカードに形成されているレシピに関する放映は予め定めた時間だけ行い、その後は、再び全般的な商品紹介のプロモーションビデオに戻るようにしてもよい。
【００２９】
（実施の形態２）
図３（ａ）〜（ｃ）は、旅行代理店用に設計されたサインスタンドを示す正面図、側面図および背面図である。サインスタンド２１は自立式のスタンド２２を備えており、このスタンド２２は、四隅にアジャスター２３が取り付けられている矩形板状の水平な支持台２４と、この支持台２４の上面に取り付けられている板状のスタンド本体２５とを備えた自立式のものである。
【００３０】
スタンド本体２５は、支持台２４の前側の部位から垂直に起立している垂直板部分２５ａと、この上端から後方に僅かに折れ曲がって延びている傾斜板部分２５ｂとを備えている。スタンド本体２５における傾斜板部分２５ｂの傾斜前面２５ｃにおける上側の部位には、前後に貫通する開口部が形成されており、背面側から当該開口部に広告画像表示装置２６が組み込まれており、その表示画面２６ａが、傾斜前面２５ｃに形成した横長の長方形の窓２５ｄから露出している。表示画面２６ａの上縁部分の中央にはセンサ窓２６ｂが開いており、ここには人感センサ２７が内蔵されている。
【００３１】
スタンド本体２５の傾斜前面２５ｃにおける広告画像表示装置２６の表示画面２６ａの上側部分には、上端縁が開口しているポケット２８が取り付けられている。このポケット２８には、広告情報が印刷されたカード２９（広告表示媒体）が挿入されている。カード２９には、例えば、ツアー名、行き先エリアなどの情報が印刷されている。また、スタンド本体２５の傾斜前面２５ｃにおける広告画像表示装置２６の表示画面２６ａよりも下側の部分には、パンフレットホルダー３０が上下に複数段形成されている。各パンフレットホルダー３０にはツアーパンフレット３１（広告表示媒体）が収納されている。
【００３２】
広告画像表示装置２６は実施の形態１の広告画像表示装置６と同様に構成されているが、そのメモリに記憶保持されている広告情報は、各エリアの主な観光地を動画、ＢＧＭを使用して紹介する内容のものとなっている。主要観光地のプロモーションンビデオは既に大型モニターなどで放映されているが、このような広告形態は一方的な広告であり、放映されている観光エリアに興味のない顧客にとっては意味の無いものである。これに対して、個々の顧客に各エリアの個別映像を、それに関するツアーパンフレット３１が展示されているスタンドにおいて個別に表示することは今までには行われていなかった広告形態であり、顧客は興味のあるツアーパンフレットを手に取って見ながら、それに関する映像を見ることができるので、極めて利便性が高い。
【００３３】
なお、ツアーパンフレット３１の裏面などに、当該パンフレットの印刷情報を特定するためのバーコードを印刷しておき、これを、広告画像表示装置２６に接続されているバーコードリーダーによって読み取り、読み取られたバーコード情報に対応付けされている広告情報（ツアー情報）をメモリから読み出して出力してもよい。このようにすれば、サインスタンド２１のポケット２８、パンフレットホルダー３０に入れるカード２９およびツアーパンフレット３１を入れ替えた場合に、簡単に、入れ替え後のツアー情報に対応する映像などを表示することができるので便利である。
【００３４】
勿論、広告画像表示装置２６の操作入力部に配列されている画像切替スイッチあるいはボタンを操作して画像を切り替えるようにしてもよい。また、着脱式のメモリが備わっている場合には、入れ替え後のツアー情報が記憶保持されているメモリに交換すればよい。さらには、各ポケットにセンサを取り付けておき、各ポケットからツアーパンフレットが抜き取られたことを検出できるようにし、抜き取られたツアーパンフレットに掲載されているツアーに関する画像あるいは映像を表示するようにしてもよい。たとえば、ツアーパンフレットが抜き取られたことが検出されると、連続放映されているツアー紹介の全般的なプロモーションビデオを、予め定めた時間だけ、抜き取られたツアーパンフレットに形成されているツアーの放映に切り替えるようにすることができる。
【００３５】
（実施の形態３）
図４（ａ）〜（ｄ）は、飲食店用に設計されたサインスタンドを示す正面図、側面図、部分背面図、および内部構成図である。サインスタンド４１は自立式のスタンド４２を備えており、このスタンド４２は、四隅にキャスター４３が取り付けられている矩形板状の水平な支持台４４と、この支持台４４の上面に垂直に取り付けられている板状のスタンド本体４５とを備えた自立式のものである。
【００３６】
スタンド本体４５の前面４５ａにおける上側の部位には、横長の窓４５ｂが形成されており、この背面側には四周縁が防水処理された状態で透明ガラス６０が取り付けられている。この透明ガラス６０の後側に広告画像表示装置４６が組み込まれており、その表示画面４６ａが、窓４５ｂおよび透明ガラス６０を介して前側から目視できるようになっている。スタンド本体４５の背面にはメンテナンスハッチ６１が取り付けられており、これを開けて、広告画像表示装置４６の保守点検を行うことができる。
【００３７】
スタンド本体４５の前面４５ａには、表面が防水処理されたパネルサイン４７（広告表示媒体）が貼り付けられている。パネルサイン４７は例えばアルミ複合板からなり、その表面にインクジェットプリンターによって飲食店などの広告情報が印刷され、印刷面の表面に防水・耐候性のコーティングが施されている。このパネルサイン４７には窓４５ｂに対峙する部分に開口４７ａが形成されており、ここを介して表示画面４６ａを目視できるようになっている。また、本例では、パネルサイン４７の側方においても、前面４５ａの部位にパネルサイン４８（広告表示媒体）が貼り付けられており、ここにも広告情報が印刷されている。また、前面４５ａにおける窓４５ｂの下側の部位にも、店舗名などが印刷されたカッティングシート４９が貼り付けられている。
【００３８】
広告画像表示装置４６は実施の形態１の広告画像表示装置６あるいは実施の形態２の広告画像表示装置２６と同様に構成されており、そのメモリに記憶保持されている広告情報は、飲食店の広告画像情報である。例えば、スナックなどにおいては、店内の雰囲気、ホステスの顔ぶれ、プロフィール、料金など、伝えたい情報が映像および音声によって出力できるようになっている。
【００３９】
パネルサイン４７、４８の印刷情報と、広告画像表示装置４６による映像、音声とによって、他店との差別化を図ることのできる広告形態を実現できる。
【００４０】
（その他の実施の形態）
本発明のサインスタンドは、上記の例に限定されるものではなく、各種の場所において使用することができ、また、出力される画像あるいは映像、音声、音楽なども多様な内容とすることができる。
【符号の説明】
【００４１】
１    サインスタンド、２    スタンド、３    キャスター、４    支持台
５    スタンド本体、５ａ  傾斜面、５ｂ  窓、５ｃ  スピーカースリット
５ｄ  メンテナンスハッチ、５ｅ  垂直前面部分
６    広告画像表示装置、６ａ  表示画面、６ｂ  センサ窓
７    人感センサ、８    カッティングシート、９    取付金具、１０  スペックボード
１１  制御部、１２  メモリ、１３  液晶ドライバー、１４  液晶表示器
１５  スピーカードライバー、１６  スピーカー、１７  操作入力部
２１  サインスタンド、２２  スタンド、２３  アジャスター、２４  支持台
２５  スタンド本体、２５ａ  垂直板部分、２５ｂ  傾斜板部分、２５ｃ  傾斜前面
２５ｄ  窓
２６  広告画像表示装置、２６ａ  表示画面、２６ｂ  センサ窓
２７  人感センサ、２８  ポケット、２９  カード、３０  パンフレットホルダー
３１  ツアーパンフレット
４１  サインスタンド、４２  スタンド、４３  キャスター、４４  支持台
４５  スタンド本体、４５ａ  前面、４５ｂ  窓
４６  広告画像表示装置、４６ａ  表示画面、４７、４８  パネルサイン、
４９  カッティングシート
６０  透明ガラス、６１  メンテナンスハッチ
【図１】
2010224211.tif 000003
【図２】
2010224211.tif 000004
【図３】
2010224211.tif 000005
【図４】
2010224211.tif 000006